(57)【特許請求の範囲】
【請求項１】
カーペットの表面に、フィルムにホットメルト樹脂を塗布した汚れ防止用シートを熱圧着方式にて貼り合わせ、該汚れ防止用シートが仮接着されたカーペットであって、該汚れ防止用シートを剥離しても、仮接着に用いた接着剤あるいは粘着剤が、該汚れ防止用シートを剥離した後のカーペットの表面に粘着性あるいは接着性を残さないことを特徴としかつ、該汚れ防止用シートとカーペットの剥離強度が、ＪＩＳ−Ｋ−６７７２．９．５に準じる方法で測定した時に０．３−１０．０ｋｇ／３ｃｍ幅であることを特徴とする汚れ防止シート付きカーペット。
【発明の詳細な説明】
【０００１】
【発明の属する技術分野】
本発明は主に展示会などに使用するディスプレイ用のカーペットに有用な、汚れ防止シート付きカーペットに関するものであるが、用途を限定せずに広く応用の可能な汚れ防止シート付きカーペットに関する。
【０００２】
【従来の技術】
従来カーペットは薄手のものは折りたたんで包装したり、厚手のものは丸めて筒状にして包装するなどの方法で輸送し、施工現場にて包装を解いて施工している。しかし、ディスプレイ用に使用するカーペットは特に、一旦施工した後に間仕切りを施工したり装飾などの工事をしたりする為に、施工されたカーペットの表面が汚れやすく、これを防ぐ為に施工したカーペットの表面に養生シートを敷いて覆い、仮止めをするなどの方法が取られている。
【０００３】
即ち、これまでカーペットの汚れ防止は、施工後の汚れに対してどう対処するかと言う観点から種々の対策が考えられてきた。例えばカーペットを作る素材に防汚加工を施したり、或いは防汚性の素材を用いる方法や、汚れたカーペットを洗浄する方法や掃除機の提供などである。また電気カーペットなどの本体を傷めないように被せたまま使用するカバーの発想は実用化されており、又種々の提案もなされている。
【０００４】
【発明が解決しようとする課題】
本発明はカーペットが出荷されて輸送され、現場で施工が完了するまでのカーペットの表面が汚れたり傷ついたりすることを防ぎ、また現場での施工時に汚れ防止の為の手間をかけることを省くことを可能にしたものであって、コスト高の主要因である人件費の削減につなげるだけでなく、製品の出荷元である工場で加工でき、現場ではすべての作業が完了した後に現場作業者が簡単に汚れ防止シートを剥がすだけで済む、汚れ防止シート付きカーペットを提供するものである。また電気カーペットのカバーの様にカーペットの表面の代わり或いはカーペットの表面そのものと同等の物性や外観を要求される物ではない。
【０００５】
【発明を解決するための手段】
本発明は、カーペットの表面に汚れ防止用のシートをカーペットの表面に予め仮接着しておいて工場から出荷し、施工現場にてカーペットを施工した後該汚れ防止シートを貼り付けたままの状態で各種工事をして後、該汚れ防止用シートは簡単に剥離できる様にしたものである。
【０００６】
【発明の実施の形態】
本発明は、カーペットの表面に汚れ防止用のシートが仮接着されたカーペットであって、該汚れ防止用シートを剥離しても、仮接着に用いた接着剤あるいは粘着剤が、該汚れ防止用シートを剥離した後のカーペットの表面に粘着性あるいは接着性を残さない接着剤を使用することを特徴とする汚れ防止シート付きカーペットを提供するものである。
また好ましくは、汚れ防止用シートとカーペットの剥離強度が、ＪＩＳ−Ｋ−６７７２．９．５に準じる方法で測定した時に０．３〜１０．０Kg／３cm巾、より好ましくは０．５〜３．０Kg／３cm巾であることを特徴とする汚れ防止シート付きカーペットを提供するものである。
【０００７】
ここで言うＪＩＳ−Ｋ−６７７２．９．５に準じる方法とは、仮接着された汚れ防止用のシートとカーペットを接着したままの状態で、縦横それぞれの方向に３cm×１５cmにカットした試料を３枚づつ用意する。試験片を長さ方向に５０mm剥離し、測定機（テンシロン引張り試験機ＵＴＭ−５ＴまたはＵＴＭ−４）にて試験片の剥離部分を掴んで剥離面に均等に加重がかかるように剥離させ、そのデータを取る。測定結果の判定は、３箇所の平均値を４捨５入して少数第１位まで求める。
【０００８】
即ち、カーペットの表面にフィルム・不織布・織布などの汚れ防止用シートを、カーペットの表面に仮接着して表面を保護することにより、工場出荷以後現場で施工される迄のカーペット表面を損傷や汚れから保護するものであり、特に展示会などで展示場に使用するカーペットの場合には展示コマのセットが完了する迄カーペットの表面が汚れたり損傷したりすることを防止する必要がある。
また施工などが終了後は簡単に仮接着された汚れ防止シートは簡単に剥がすことができ、且つ仮接着に使用した粘着剤や接着剤が汚れ防止シート剥離後のカーペット表面に残るなどして、使用開始後のカーペットの表面の汚れの原因となったり、実用上何らかの不具合をもたらす物であってはならない。
【０００９】
これらの条件を満たす為に、本発明で使用する汚れ防止用シートとしては、表面の引っかき強度や表面摩擦強度ができるだけ強いものを用いることが好ましい。これは展示場等で施工した後に間仕切り工事などをした時に、間仕切り工事などが完了しないうちに汚れ防止用シートが損傷してカーペットが汚損するのを防ぐためである。
【００１０】
また、工場出荷以後現場で施工される迄のカーペット表面を損傷や汚れから保護する為には、輸送途中などにカーペットと汚れ防止用シートが剥がれたり、ずれたりすることは非常に不都合である。この為には汚れ防止用シートとカーペットの仮接着接着強度（ＪＩＳ−Ｋ−６７７２．９．５に準じる方法による剥離強度にて表す）は実験を繰り返して調べたところ実用になる範囲は０．３〜１０．０kg／３cmであり、また極普通の使用状況を想定したときに、より好ましくは０．5〜３．０kg／３cmであった。汚れ防止用シートは最終的には剥がして、カーペットのみを使用するものであるから、簡単に剥がすことができることが必須要件である。その為には汚れ防止用シートとカーペットの剥離強度は、実用上問題ない範囲は、繰り返し実験した結果１０kg／３cm以下であれば良いが、女性や子供が手伝う場合などを想定すると３kg／３cm以下であることが好ましい。一方かなり過酷な取り扱いをする場合には、５kg／３cm以上である方がより好ましい結果が得られた。また０．３〜０．５kg／３cmの範囲のものは、使用される季節や天候によって、部分的に剥がれる恐れが多少あった。
【００１１】
本発明に用いる汚れ防止用シートとしては、他に兼ね備えるべき性能としては汚れを吸収したり透過したりしてカーペットの表面を汚す物は避けたほうがよいが、輸送中及び展示場での床面に施工後コマ工事の時に液体などがこぼれることを想定しなければ、必須要件ではない。また引き裂きなどの強度も、カーペットの表面に張り合わされた状態で使われる為、カーペットの表面に仮接着でき、且つ引き剥がす時に細かく破れたりすることが無い程度の強度で十分である。
【００１２】
汚れ防止用シートとカーペットとを仮接着する接着剤或いは粘着剤としては、ホットメルト樹脂をはじめとして公知の接着剤や粘着剤を使用することができ、接着剤の種類に拘わらず、汚れ防止用シートとカーペットの剥離強度が０．３〜１０．０Kg／３cm巾であるが、より好ましくは０．５〜３．０Kg／３cm巾であるとなる様にすれば良い。展示会用として一般的に用いられるカーペットはニードルパンチカーペットであるが、勿論他のカーペットにも適用可能であることは言うまでもない。
【００１３】
【実施例】
厚さ3.0mmのニードルパンチカーペット表面に、特殊ホットメルト樹脂をスパイラル状に塗布した防汚シートを熱圧着方式にて貼り合わせ、該ニードルパンチカーペットと防汚シート間の剥離強度が２．０Kg／３cmである汚れ防止シート付きカーペットを得た。
得られた汚れ防止シート付きカーペットを、展示会場にて床に敷いたのち、コマ作りの為の工事をした。パネルの切り屑や切れ端等を含む異物が上に載っており、油汚れが表面に付いた汚れ防止用シートをコマ工事終了後に端から手で剥がしたが、予め掃除をしたりせずにかたずけたにもかかわらず、カーペットから簡単に剥がれただけでなく汚れ防止用シートでかたずけや掃除が必要なものを包むように剥ぎ取ることができた。
【００１４】
【発明の効果】
忙しい展示会場の設定にあたって、汚れを気にせずに作業が可能であり、片付けの作業が非常に効率良く行える。またカーペットの表面も非常に奇麗に保たれていて省力化おおいに貢献するものである。